(57)【要約】【課題】  蓄電素子の冷却性能が低下することを防止することができる蓄電装置を提供することを課題とする。【解決手段】  本発明に係る蓄電装置は、蓄電素子と、該蓄電素子に隣接するエンドホルダと、前記蓄電素子及び前記エンドホルダを挟み込むフレームと、前記エンドホルダと前記フレームとの間に配置されるシール部材とを備える、【選択図】図６
2015069695.tif 000002
【特許請求の範囲】
【請求項１】
蓄電素子と、
該蓄電素子に隣接するエンドホルダと、
前記蓄電素子及び前記エンドホルダを挟み込むフレームと、
前記エンドホルダと前記フレームとの間に配置されるシール部材とを備える、
蓄電装置。
【請求項２】
前記シール部材は、前記蓄電素子と前記フレームとの間に配置される介設部材であって、絶縁性を有する介設部材の一部である、
請求項１に記載の蓄電装置。
【請求項３】
前記シール部材は、絶縁性を有する、
請求項１又は請求項２に記載の蓄電装置。
【請求項４】
前記シール部材は、
前記エンドホルダと前記フレームとの間に配置される本体部と、
該本体部に形成されるリブ部とを備え、
該リブ部は、
前記本体部から突出するとともに、前記本体部の前記エンドホルダ側及び前記本体部の前記フレーム側の少なくとも何れか一方に形成される、
請求項１乃至請求項３の何れか１項に記載の蓄電装置。
【請求項５】
前記リブ部は、可撓性を有する、
請求項４に記載の蓄電装置。
【請求項６】
前記フレームは、
前記エンドホルダと対向するエンドプレートと、
前記エンドプレートの端部に沿って延びる連結部を有する枠部とを備え、
該連結部は、エンドホルダとエンドプレートとの境を覆い、
前記シール部材は、前記連結部と前記エンドホルダとの間に配置される、
請求項１乃至請求項５の何れか１項に記載の蓄電装置。
【発明の詳細な説明】
【技術分野】
【０００１】
本発明は、蓄電素子を備える蓄電装置に関する。
【背景技術】
【０００２】
従来から、各種機器の電源として、蓄電装置が提供されている。蓄電装置は、蓄電素子と、該蓄電素子に隣接するエンドホルダと、前記蓄電素子及び前記エンドホルダを挟み込むフレームとを備えている（例えば、特許文献１参照）。
【０００３】
蓄電素子は、充放電に伴って発熱するが、過度に発熱すると性能が低下する等の問題が生じる。そのため、一般的に、蓄電装置は、内部に冷却用の流体（以下、冷却流体とする）が流れるように構成されている。この種の蓄電装置では、蓄電素子が冷却流体に曝されるため、蓄電素子が過度に発熱することを抑えることができるとされている。
【０００４】
しかしながら、この種の蓄電装置は、構造上、蓄電素子を十分に冷却することができない部位がある。例えば、蓄電装置では、エンドホルダとフレームとが別体物であるため、エンドホルダとフレームとの間に隙間が生じている。
【０００５】
そのため、冷却流体がエンドホルダよりもフレーム側に流れると、蓄電素子に当たる冷却流体の量が少なくなる。従って、上述の蓄電装置は、冷却流体の流れに応じて蓄電素子の冷却性能が低下する結果、蓄電素子の性能が低下する等の虞がある。
【先行技術文献】
【特許文献】
【０００６】
【特許文献１】特開２０１２−１２３９０５号公報
【発明の概要】
【発明が解決しようとする課題】
【０００７】
そこで、本発明は、斯かる実情に鑑み、蓄電素子の冷却性能が低下することを防止することができる蓄電装置を提供することを課題とする。
【課題を解決するための手段】
【０００８】
本発明の蓄電装置は、
蓄電素子と、
該蓄電素子に隣接するエンドホルダと、
蓄電素子及びエンドホルダを挟み込むフレームと、
エンドホルダとフレームとの間に配置されるシール部材とを備える。
【０００９】
上記構成の蓄電装置によれば、エンドホルダが蓄電素子に隣接し、さらに、エンドホルダとフレームとの間にはシール部材が配置される。そのため、蓄電素子を冷却するための流体（以下、冷却流体とする）がエンドホルダよりもフレーム側に流れようとすると、シール部材が該冷却流体の流れを遮る。
【００１０】
このように、蓄電装置は、冷却流体がエンドホルダよりもフレーム側に流れることを抑えることで、蓄電素子に当たる冷却流体が減少することを抑えることができる。従って、蓄電素子の冷却性能が低下することを防止することができる。
【００１１】
ここで、本発明に係る蓄電装置の一態様として、
シール部材は、蓄電素子とフレームとの間に配置される介設部材であって、絶縁性を有する介設部材の一部である、
ようにしてもよい。
【００１２】
このようにすれば、蓄電素子をフレームに対して絶縁するための介設部材を利用して、蓄電素子の冷却性能が低下することを防止することができる。
【００１３】
また、本発明に係る蓄電装置の他態様として、
シール部材は、絶縁性を有する、
ようにしてもよい。
【００１４】
このようにすれば、シール部材によって、冷却流体がエンドホルダよりもフレーム側に流れることを抑えることができ、さらに、蓄電素子をフレームに対して絶縁することもできる。
【００１５】
また、本発明に係る蓄電装置の他態様として、
シール部材は、
エンドホルダとフレームとの間に配置される本体部と、
該本体部から突出するように形成されるリブ部とを備え、
該リブ部は、
本体部のエンドホルダ側及び本体部のフレーム側の少なくとも何れか一方に形成される、
ようにしてもよい。
【００１６】
このようにすれば、蓄電装置は、本体部のエンドホルダ側に形成されるリブ部によって、シール部材（本体部）とエンドホルダとの間の隙間を流れようとする冷却流体の流れを遮ることができる。また、蓄電装置は、本体部のフレーム側に形成されるリブ部によって、シール部材（本体部）とフレームとの間の隙間を流れようとする冷却流体の流れを遮ることができる。従って、蓄電装置は、蓄電素子に当たる冷却流体が減少することを抑えることで、蓄電素子の冷却性能が低下することを防止することができる。
【００１７】
そして、本発明に係る蓄電装置の別の態様として、
リブ部は、可撓性を有する、
ようにしてもよい。
【００１８】
このようにすれば、リブ部とエンドホルダとをより確実に密接させることができる。また、リブ部とフレームとをより確実に密接させることができる。
【００１９】
また、本発明に係る蓄電装置のさらに別の態様として、
フレームは、
エンドホルダと対向するエンドプレートと、
エンドホルダの端部に沿って延びる連結部を有する枠部とを備え、
連結部は、エンドホルダとエンドプレートとの境を覆い、
シール部材は、連結部とエンドホルダとの間に配置される、
ようにしてもよい。
【００２０】
このようにすると、エンドホルダとエンドプレートとの境を連結部で覆い、さらに、連結部とエンドホルダとの間にシール部材を配置しているため、エンドホルダとエンドプレートとの間に流れようとする冷却流体の流れをシール部材によって遮ることができる。
【００２１】
従って、冷却流体がエンドホルダよりもエンドプレート側に流れることを抑えることで、蓄電素子に当たる冷却流体が減少することを抑えることができる。従って、蓄電素子の冷却性能が低下することを防止することができる。
【発明の効果】
【００２２】
以上のように、本発明に係る蓄電装置によれば、蓄電素子の冷却性能が低下することを防止することができるという優れた効果を奏し得る。
【図面の簡単な説明】
【００２３】
【図１】図１は、本発明の一実施形態に係る電池モジュールの全体斜視図を示す。
【図２】図２は、同実施形態に係る電池モジュールの要部分解斜視図であって、エンドホルダ、枠部、介設部材を分解した斜視図を示す。
【図３】図３は、同実施形態に係る電池モジュールのエンドホルダの正面側の斜視図を示す。
【図４】図４は、同実施形態に係る電池モジュールのエンドホルダの背面側の斜視図を示す。
【図５】図５は、同実施形態に係る電池モジュールの断面図であって、図１におけるＡ−Ａ線における断面の要部拡大図を示す。
【図６】図６は、同実施形態に係る電池モジュールの断面図であって、図１におけるＢ−Ｂ線における断面の要部拡大断面図を示す。
【図７】図７は、同実施形態に係る電池モジュールにおける冷却流体の流れの説明図である。
【図８】図８は、同実施形態に係る電池モジュールの要部拡大断面図であって、シール部材が冷却流体の流れを遮っている状態の要部拡大断面図である。
【発明を実施するための形態】
【００２４】
以下、本発明の一実施形態に係る蓄電装置である電池モジュールについて、添付図面を参照しつつ説明する。図１及び図２に示すように、蓄電素子１と（図１参照）、該蓄電素子１に隣接するエンドホルダ２と、蓄電素子１及びエンドホルダ２を挟み込むフレーム３と、エンドホルダ２とフレーム３との間に配置されるシール部材４０とを備えている。
【００２５】
なお、本実施形態に係る電池モジュールは、蓄電素子１とフレーム３との間に配置される介設部材４であって、絶縁性を有する介設部材４を備えており、シール部材４０が該介設部材４の一部となるように構成されている。また、本実施形態に係る電池モジュールは、第一方向で整列する複数の蓄電素子１を備えている。これに伴い、電池モジュールは、隣り合う蓄電素子１間に配置される複数のスペーサＳを備えている。
【００２６】
複数の蓄電素子１のそれぞれは、すべて同一の形状及び同一の構造を有する。これに伴い、以下の説明では、一つの蓄電素子１について説明する。
【００２７】
蓄電素子１は、図１に示すように、電極体を収容するケース１０と、該ケース１０の外面に配置される外部ガスケットであって、樹脂等の絶縁材料で形成されている外部ガスケットと、該外部ガスケットに載置される外部端子１１とを備えている。なお、蓄電素子１は、一対の外部ガスケットと、一対の外部端子１１とを備えている。
【００２８】
ケース１０は、開口部を有するケース本体１００と、該ケース本体１００の開口部を塞ぐ蓋板１０１とを有する。ケース本体１００は、幅方向に偏平な有底角筒状に形成される。これに伴い、蓋板１０１は、該ケース本体１００の開口部に対応した長方形状に形成される。
【００２９】
一方の外部ガスケットは、蓋板１０１の長手方向における一方側に配置されている。そして、他方の外部ガスケットは、蓋板１０１の長手方向における他方側に配置されている。
【００３０】
エンドホルダ２は、第一方向（複数の蓄電素子１が整列する方向）における蓄電素子１の一方側と、第一方向における蓄電素子１の他方側とに配置されている。すなわち、蓄電装置は、一対のエンドホルダ２を備えている。なお、以下の説明において、第一方向における蓄電素子１の一方側に配置されているエンドホルダ２には、「２Ａ」を付し、第一方向における蓄電素子１の他方側に配置されているエンドホルダ２には、「２Ｂ」を付す場合がある。
【００３１】
一方のエンドホルダ２Ａは、図３及び図４に示すように、第一方向で蓄電素子１と並ぶホルダ本体部２０と、第一方向と直交する方向（以下、第二方向とする）において該ホルダ本体部２０の両側に形成される側端部２１であって、介設部材４が密接する側端部２１とを有する。
【００３２】
ホルダ本体部２０は、第一方向における一方側に形成される受部２００（図３参照）と第一方向における一方側の面上に（蓄電素子１と対向する側の面上に）形成される流路形成部２０１（図４参照）とを有する。
【００３３】
受部２００は、図３に示すように、第二方向で間隔をあけて一対形成されている。
【００３４】
流路形成部２０１は、図４に示すように、第二方向で長手をなすように形成されている。そして、流路形成部２０１は、第一方向及び第二方向のそれぞれに直交する方向（以下、第三方向とする）で間隔をあけて並ぶように複数形成されている。すなわち、ホルダ本体部２０は、複数の流路形成部２０１を有する。そのため、蓄電装置では、ホルダ本体部２０における流路形成部２０１同士の間の部分と、一方のエンドホルダ２Ａに隣接する蓄電素子１との間の部分に空間が形成されるようになっている。
【００３５】
図３に戻り、側端部２１は、第二方向におけるホルダ本体部２０の一方側と、第二方向におけるホルダ本体部２０の他方側とに形成されている。すなわち、エンドホルダ２は、一対の側端部２１を有する。
【００３６】
一方の側端部２１は、第一方向で一端及び該一端とは反対側の第二端を有する第一当部２１０と、該第一当部２１０の両端から延出する一対の第二当部２１１とを有する。
【００３７】
第一当部２１０は、第一方向でフレーム３と対向する第一当面２１０ａを有する。一方の第二当部２１１は、第三方向における一方側でフレーム３と対向する第二当面２１１ａを有する。他方の第二当部２１２は、第三方向における他方側でフレーム３と対向する第二当面２１２ａを有する。
【００３８】
そして、他方の側端部２１は、第一方向で一端及び該一端とは反対側の第二端を有する第一当部２１０と、該第一当部２１０の両端から延出する一対の第二当部２１１とを有する。
【００３９】
第一当部２１０は、第一方向でフレーム３と対向する第一当面２１０ａを有する。そして、一方の第二当部２１１は、第三方向における一方側でフレーム３と対向する第二当面２１１ａを有する。他方の第二当部２１２は、第三方向における他方側でフレーム３と対向する第二当面２１２ａを有する（図４参照）。
【００４０】
他方のエンドホルダ２Ｂは、一方のエンドホルダ２Ａと同様の構成である。そして、一方のエンドホルダ２Ａは、第一方向における蓄電素子１の一方側に配置され、他方のエンドホルダ２Ｂは、第一方向における蓄電素子１の他方側に配置されている。すなわち、一対のエンドホルダ２は、互いの流路形成部２０１を向け合うようにして配置されている。
【００４１】
図１に示すように、フレーム３は、エンドホルダ２（２Ａ，２Ｂ）に対向（隣接）するエンドプレート３０を有する。すなわち、フレーム３は、一対のエンドプレート３０を有し、一方のエンドプレート３０は、一方のエンドホルダ２Ａに隣接し、他方のエンドプレート３０は、他方のエンドホルダ２Ｂと隣接する（なお、図１では、一方のエンドプレート３０しか図示していない）。
【００４２】
図１において、図示していないが、エンドプレート３０は、第一方向における一方側に、第三方向で間隔をあけて形成される一対の螺子穴を有する。また、エンドプレート３０は、第一方向における他方側に、第三方向で間隔をあけて形成される一対の螺子穴を有する。
【００４３】
枠部３１は、一対のエンドプレート３０同士を連結するようになっている。また枠部３１は、第二方向における蓄電素子１の両側に配置されている。
【００４４】
各枠部３１は、第一方向で長手をなす第一縁部３１０であって、蓄電素子１の蓋板１０１側に配置される第一縁部３１０と、第一方向で長手をなす第二縁部３１１であって、蓄電素子１の底面側（蓋板１０１側の反対側）に配置される第二縁部３１１とを有する。そして、各枠部３１は、第一縁部３１０と第二縁部３１１とに亘って形成される第三縁部３１２を有する。さらに、各枠部３１は、第一方向において、エンドプレート３０の外側に配置される固定部３１３を有する。また、各枠部３１は、エンドホルダ２の端部に沿って延びる連結部３１４を有する。
【００４５】
第一縁部３１０は、第一方向で長手をなす。また、第一縁部３１０は、自身の長手方向に沿って屈曲している。そのため、第一縁部３１０では、屈曲している部分を境とする一方側が蓄電素子１の蓋板１０１側に配置され、屈曲している部分を境とする他方側が蓄電素子１の側面側に配置されている。
【００４６】
第二縁部３１１は、第一方向で長手をなす。また、第二縁部３１１は、自身の長手方向に沿って屈曲している。そのため、第二縁部３１１では、屈曲している部分を境とする一方側が蓄電素子１の底面側に配置され、屈曲している部分を境とする他方側が蓄電素子１の側面側に配置されている。
【００４７】
第三縁部３１２は、第一縁部３１０の長手方向における一方側（第二縁部３１１の長手方向における一方側）と、第一縁部３１０の長手方向における他方側（第二縁部３１１の長手方向における他方側）とに形成されている。すなわち、一方の枠部３１は、一対の第三縁部３１２を有する。
【００４８】
固定部３１３は、第一縁部３１０の長手方向における両端部に形成されている。また、固定部３１３は、第二縁部３１１の長手方向における両端部に形成されている。
【００４９】
各固定部３１３は、貫通穴（図示しない）が形成されている。なお、蓄電装置では、各固定部３１３の貫通穴に挿通させたボルトＢをエンドプレート３０に螺合すると、当該ボルトＢの先端部がエンドホルダ２を押圧するようになっている。これにより、蓄電装置は、固定部３１３の貫通穴に挿通させたボルトＢで複数の蓄電装置のそれぞれに圧縮力を作用させることができるようになっている。
【００５０】
連結部３１４は、エンドホルダ２とエンドプレート３０との境を覆うようになっている。すなわち、連結部３１４の一部は、エンドプレート３０の外側からエンドホルダ２に向かって延びるように形成されている。そして、本実施形態に係るフレーム３では、各枠部３１の第三縁部３１２のそれぞれが連結部３１４となるように構成されている。
【００５１】
なお、本実施形態において、一方の枠部３１は、第二方向における蓄電素子１の一方側に配置され、他方の枠部３１は、第二方向における蓄電素子１の他方側に配置されている。なお、以下の説明において、一方の枠部３１には、「３１Ａ」を付し、他方の枠部３１には、「３１Ｂ」を付す場合がある。
【００５２】
介設部材４は、第二方向における蓄電素子１の両側に配置されている。すなわち、蓄電装置は、図２に示すように、一対の介設部材４を有する。
【００５３】
各介設部材４は、シール部材４０に加えて、フレーム３の枠部３１（３１Ａ，３１Ｂ）に外嵌させる外嵌部４１をさらに有する。なお、本実施形態に係る電池モジュールでは、上述のように、シール部材４０が該介設部材４の一部となるように構成されているため、シール部材４０と外嵌部４１とが一体的に形成されている。これに伴い、シール部材４０及び外嵌部４１は、絶縁性を有するようになっている。
【００５４】
シール部材４０は、絶縁性を有する。そして、シール部材４０は、エンドホルダ２とフレーム３の枠部３１（３１Ａ、３１Ｂ）との間に配置される本体部４００と、該本体部４００に形成されるリブ部４０１とを備えている。
【００５５】
本体部４００は、第三方向で長手をなすように形成されている。そして、リブ部４０１は、本体部４００から突出するように形成されており、本体部４００のエンドホルダ２側及び本体部４００の枠部３１側の少なくとも何れか一方に形成されている。
【００５６】
図２に戻り、本実施形態に係るシール部材４０では、本体部４００のエンドホルダ２側と、本体部４００の枠部３１側とのそれぞれにリブ部４０１が形成されている。なお、以下の説明において、本体部４００の枠部３１側に形成されているリブ部４０１を第一リブ部４０１ａとし、本体部４００のエンドホルダ２側に形成されているリブ部４０１を第二リブ部４０１ｂとする。
【００５７】
第一リブ部４０１ａは、可撓性を有する。第一リブ部４０１ａは、第三方向で長手をなす直線部４０１ａａを有する。また、第一リブ部４０１ａは、直線部４０１ａａの長手方向の両端部から第一方向に向けて湾曲しつつ延びる一対の湾曲部４０１ａｂを有する。
【００５８】
直線部４０１ａａは、図６に示すように、長手方向と直交する方向における断面形状がＳ字状となるように形成されている。直線部４０１ａａは、本体部４００側の基端と、該基端の反対側の先端とを有する。そして、直線部４０１ａａは、基端側よりも、先端側が枠部３１側に位置するように形成されている。そのため、第一リブ部４０１ａは、先端側がフレーム３（枠部３１）に押し付けられている。
【００５９】
図５に戻り、各湾曲部４０１ａｂは、自身が延びる方向と直交する方向における断面形状がＳ字状となるように形成されている。各湾曲部４０１ａｂは、本体部４００側の基端と、該基端の反対側の先端とを有する。そして、各湾曲部４０１ａｂは、基端側よりも、先端側が枠部３１側に位置するように形成されている。そのため、第一リブ部４０１ａは、先端側が枠部３１に押し付けられている。
【００６０】
第二リブ部４０１ｂは、可撓性を有する。第二リブ部４０１ｂは、第三方向で長手をなす直線部４０１ｂａを有する。また、第二リブ部４０１ｂは、直線部４０１ｂａの長手方向の両端部から第一方向に向けて湾曲しつつ延びる一対の湾曲部４０１ｂｂを有する。
【００６１】
直線部４０１ｂａは、本体部４００側の基端と、該基端の反対側の先端とを有する。そして、直線部４０１ｂａは、図６に示すように、基端側よりも、先端側がエンドホルダ２側に位置するように形成されている。そのため、第二リブ部４０１ｂは、先端側がエンドホルダ２（側端部２１における第一当部２１０の第一当面２１０ａ）に押し付けられている。
【００６２】
各湾曲部４０１ｂｂは、本体部４００側の基端と、該基端の反対側の先端とを有する。そして、各湾曲部４０１ｂｂは、基端側よりも、先端側がエンドホルダ２側に位置するように形成されている。そのため、一方の第二リブ部４０１ｂの湾曲部４０１ｂｂは、先端側がエンドホルダ２（側端部２１における一方の第二当部２１１の第二当面２１１ａ）に押し付けられている。そして、他方の第二リブ部４０１ｂの湾曲部４０１ｂｂは、先端側がエンドホルダ２（側端部２１における他方の第二当部２１２の第二当面２１２ａ）に押し付けられている。
【００６３】
外嵌部４１は、第一縁部３１０に外嵌させる第一外嵌部４１０と、第二縁部３１１に外嵌させる第二外嵌部４１１とを有する。
【００６４】
上述のように、本実施形態に係る電池モジュールでは、第二方向における蓄電素子１の両側のそれぞれに一対の介設部材４が配置されている。すなわち、一方の介設部材４は、第二方向における蓄電素子１の一方側に配置されている。そのため、一方の介設部材４のシール部材４０は、エンドホルダ２（２Ａ，２Ｂ）とフレーム３の一方の枠部３１Ａとの間に配置され、一方の介設部材４の外嵌部４１は、フレーム３の一方の枠部３１Ａに外嵌されている。
【００６５】
そして、他方の介設部材４のシール部材４０は、エンドホルダ２（２Ａ，２Ｂ）とフレーム３の他方の枠部３１Ｂとの間に配置され、他方の介設部材４の外嵌部４１は、フレーム３の他方の枠部３１Ｂに外嵌されている。なお、以下の説明において、一方の介設部材４には、「４Ａ」を付し、他方の介設部材４には、「４Ｂ」を付す場合がある。
【００６６】
複数のスペーサＳのそれぞれは、側面視において、矩形波形状となるように形成されている。そのため、蓄電素子１とスペーサＳとの間には、第二方向に沿って延びる空間が形成されている。
【００６７】
本実施形態に係る蓄電装置は、以上の通りである。続いて、蓄電装置における冷却流体（蓄電素子１を冷却するための流体）の流れについて、添付図面を参照しつつ説明を行う。
【００６８】
蓄電装置の周囲に冷却流体が流れると、図７に示すように、該冷却流体ＣがスペーサＳと蓄電素子１との間、及び蓄電素子１とエンドホルダ２との間に流れ込む。
【００６９】
さらに、冷却流体Ｃは、枠部３１とエンドホルダ２との間にも流れ込もうとするが、シール部材４０が該冷却流体Ｃの流れを遮る。より具体的に説明すると、図８に示すように、第一リブ部４０１ａが本体部４００とエンドホルダ２との間を流れようとする冷却流体Ｃの流れを遮る。そして、第二リブ部４０１ｂが本体部４００と枠部３１との間を流れようとする冷却流体Ｃの流れを遮る。
【００７０】
以上のように、本実施形態に係る電池モジュールによれば、エンドホルダ２が蓄電素子１に隣接し、さらに、介設部材４がエンドホルダ２とフレーム３の枠部３１との間（フレーム３の枠部３１Ａにおける連結部３１４との間、及びフレーム３の枠部３１Ｂにおける連結部３１４との間）に配置されるシール部材４０を有するため、冷却流体Ｃがエンドホルダ２よりもフレーム３側（本実施形態では、フレーム３のエンドプレート３０側）に流れようとすると、シール部材４０が該冷却流体Ｃの流れを遮る。
【００７１】
これにより、電池モジュールは、冷却流体Ｃがエンドホルダ２よりもフレーム３の枠部３１側に流れることを抑えることで、蓄電素子１に当たる冷却流体Ｃが減少することを抑えることができる。従って、蓄電素子１の冷却性能が低下することを防止することができるという優れた効果を奏し得る。
【００７２】
また、シール部材４０は、蓄電素子１とフレーム３の枠部３１との間に配置される介設部材４であって、絶縁性を有する介設部材４の一部となるように構成されているため、介設部材４を利用して、蓄電素子１の冷却性能が低下することを防止することができる。
【００７３】
そして、シール部材４０が本体部４００のエンドホルダ２側に形成される第一リブ部４０１ａと、本体部４００における、フレーム３の枠部３１側に形成される第二リブ部４０１ｂとを有するため、介設部材４とエンドホルダ２との間の隙間を流れようとする冷却流体Ｃの流れを第一リブ部４０１ａで遮ることができ、介設部材４とフレーム３の枠部３１との間の隙間を流れようとする冷却流体Ｃ流れを第二リブ部４０１ｂで遮ることができる。従って、より確実に、蓄電素子１に当たる冷却流体Ｃの量が減少することを抑えることができる。
【００７４】
さらに、リブ部４０１（第一リブ部４０１ａ及び第二リブ部４０１ｂ）は、可撓性を有するため、第一リブ部４０１ａとエンドホルダ２とをより確実に密接させることができ、また、第二リブ部４０１ｂとフレーム３の枠部３１（連結部３１４）とをより確実に密接させることができる。
【００７５】
また、エンドホルダ２（２Ａ，２Ｂ）とエンドプレート３０との境を連結部３１４で覆い、さらに、連結部３１４とエンドホルダ２との間にシール部材４０を配置しているため、エンドホルダ２とエンドプレート３０との間に流れようとする冷却流体Ｃの流れをシール部材４０によって遮ることができる。従って、冷却流体Ｃがエンドホルダ２よりもフレーム３のエンドプレート３０側に流れることを抑えることで、蓄電素子１に当たる冷却流体Ｃが減少することを抑えることができ、蓄電素子１の冷却性能が低下することを防止することができる。
【００７６】
そして、本実施形態では、第二リブ部４０１ｂがエンドホルダ２の第一当部２１０と一対の第二当部２１１とに亘って密接しているため、より確実に、冷却流体Ｃがエンドホルダ２よりもフレーム３のエンドプレート３０側に流れることを抑えることができる。
【００７７】
尚、本発明に係る電池モジュールは、上記した実施の形態に限定されるものではなく、本発明の要旨を逸脱しない範囲内において種々変更を加え得ることは勿論である。また、下記する種の変更例に係る構成や方法等を任意に選択して、上記した実施形態に係る構成や方法等に採用してもよいことは勿論である。
【００７８】
上記実施形態において、特に言及しなかったが、蓄電素子１は、外観直方体状の角形電池や、外観円柱状の丸形電池などを採用することができる。また、蓄電素子１として、リチウムイオン電池やニッケル水素電池等の二次電池、一次電池、電気二重層キャパシタ等を採用してもよい。
【００７９】
また、上記実施形態において、第一リブ部４０１ａは、断面形状がＳ字状になるように形成されていたが、これに限定されるものではなく、例えば、第一リブ部４０１ａは、先端側がフレーム３に押し付けられるようになっていれば、断面形状がＳ字状になっていなくてもよい。すなわち、第一リブ部４０１ａは、断面形状が第二リブ部４０１ｂのように、直線状となるように形成されていてもよい。
【００８０】
また、上記実施形態において、第二リブ部４０１ｂは、断面形状が直線状となるように形成されていたが、これに限定されるものではなく、例えば、第二リブ部４０１ｂは、エンドホルダ２に押し付けられるようになっていれば、第一リブ部４０１ａのように断面形状がＳ字状となるように形成されていてもよい。
【００８１】
また、上記実施形態において、シール部材４０は、蓄電素子１とフレーム３（枠部３１）との間に配置される介設部材４の一部であったが、これに限定されるものではない。例えば、シール部材４０は、介設部材４（第一外嵌部４１０、及び第二外嵌部４１１）とは別体で構成されていてもよいし、蓄電素子１とフレーム３（枠部３１）との間の介設部材４（第一外嵌部４１０、及び第二外嵌部４１１）を備えていない蓄電装置であってもよい。
【００８２】
また、上記実施形態において、枠部３１は、第一縁部３１０と第二縁部３１１とに亘って形成される第三縁部３１２（連結部３１４）を有したが、これに限定されるものではない。例えば、枠部３１は、第一縁部３１０と第二縁部３１１とが連結されていない枠部であっても良い。より具体的に説明すると、枠部３１は、４つの独立した枠部から構成される蓄電装置であってもよい（すなわち、第一縁部３１０、第二縁部３１１、第三縁部３１２のそれぞれを別体で構成してもよい）。
【００８３】
また、上記実施形態において、特に言及しなかったが、外部端子１１は、外部端子同士を電気的に接続するバスバをネジ止めによって接続するものではなく、抵抗溶接や、超音波溶接によって、バスバを接続するものであってもよい。
【符号の説明】
【００８４】
１…蓄電素子、２，２Ａ，２Ｂ…エンドホルダ、３…フレーム、４…介設部材、１０…ケース、１１…外部端子、２０…ホルダ本体部、２１…側端部、３０…エンドプレート、３１，３１Ａ，３１Ｂ…枠部、４０…シール部材、４１…外嵌部、１００…ケース本体、１０１…蓋板、２００…受部、２０１…流路形成部、２１０…第一当部、２１０ａ…第一当面、２１１…第二当部、２１１ａ…第二当面、２１２…第二当部、２１２ａ…第二当面、３１０…第一縁部、３１１…第二縁部、３１２…第三縁部、３１３…固定部、３１４…連結部、４００…本体部、４０１…リブ部、４０１ａ…第一リブ部、４０１ａａ…直線部、４０１ａｂ…湾曲部、４０１ｂ…第二リブ部、４０１ｂａ…直線部、４０１ｂｂ…湾曲部、４１０…第一外嵌部、４１１…第二外嵌部、Ｂ…ボルト、Ｃ…冷却流体、Ｓ…スペーサ
【図１】
2015069695.tif 000003
【図２】
2015069695.tif 000004
【図３】
2015069695.tif 000005
【図４】
2015069695.tif 000006
【図５】
2015069695.tif 000007
【図６】
2015069695.tif 000008
【図７】
2015069695.tif 000009
【図８】
2015069695.tif 000010